(57)【要約】【課題】被験者等に負担なく容易に身体の電磁気的エネルギーを検知し及び／又は当該電磁気的エネルギーを供給可能な電磁気的エネルギー検知送出装置を提供する。【解決手段】建物の部屋内の被験者が発する微弱な電磁気的エネルギーに対応して誘起される電磁気的エネルギーを流す平板状の導電性プローブ１０であって、該部屋の床板の上面に沿って敷設されたプローブと、上記プローブにシールドケーブル１２，１３を介して接続された本体部１と、を備えた電磁気的エネルギー検知送出装置１００であって、上記本体部は、プローブから入力された電磁気的エネルギーと共振可能な可変周波数共振器４を有し、該共振器は入力された電磁気的エネルギーに対し共振するアンテナ的機能及びその電荷を蓄積するコンデンサ的機能を備え、蓄積された電磁気的エネルギーを入力されたものと同一の周波数で放出する発振器としての機能も備える。  【選択図】図１
2018015074.tif 000002
【特許請求の範囲】
【請求項１】
建物の部屋内の生体が発する微弱な電磁気的エネルギーに対応して誘起される電磁気的エネルギーを流す薄い平板状又はシート状の導電性のプローブであって、該部屋の床板の上面に沿って敷設されたプローブと、
上記建物内に設置され、上記プローブにシールドケーブルを介して接続された本体部と、を備えた電磁気的エネルギー検知送出装置であって、
上記本体部は、上記プローブから入力された電磁気的エネルギーと共振可能な可変周波数共振器と、該入力された電磁気的エネルギーと同一の周波数で微弱な電磁気的エネルギーを放出する可変周波数発振器とを有し、
上記プローブは、非導電性の上記床板の上面に沿って設けられた凹部内に配設され、該凹部の平面形状は上記プローブと実質的に同一形状で、上記プローブと上記床板の上面は実質的に同一平面を形成することを特徴とする、電磁気的エネルギー検知送出装置。  
【請求項２】
上記共振器は入力された電磁気的エネルギーに対して共振するアンテナ的機能及び入力された電磁気的エネルギーの電荷を蓄積するコンデンサ的機能を備え、その蓄積された電磁気的エネルギーを入力された電磁気的エネルギーと同一の周波数で放出する上記可変周波数発振器としての機能も備えたことを特徴とする、請求項１に記載の電磁気的エネルギー検知送出装置。
【請求項３】
上記プローブはアルミニウム、アルミニウム合金、ステンレス鋼又は黄銅製の金属板であることを特徴とする、請求項１に記載の電磁気的エネルギー検知送出装置。
【請求項４】
上記プローブは複数の平板状の金属製のプローブ片を相互に電気的に結合して構成される、ことを特徴とする、請求項１に記載の電磁気的エネルギー検知送出装置。  
【請求項５】
上記プローブは導電性が高く、耐腐食性、耐久性等に優れた材質を含んで形成され、厚さは約１ｍｍ〜５ｍｍ程度であることを特徴とする、請求項１に記載の電磁気的エネルギー検知送出装置。
【請求項６】
上記本体部は、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記本体部はこれらのモードを指定するモード選択手段を有する、ことを特徴とする請求項１記載の電磁気的エネルギー検知送出装置。
【請求項７】
建物の部屋内の生体が発する微弱な電磁気的エネルギーに対応して誘起される電磁気的エネルギーを流す薄い平板状又はシート状の導電性のプローブと、上記プローブにシールドケーブルを介して接続された本体部とで構成される電磁気的エネルギー検知送出装置を備えた建築構造体であって、
上記本体部は、上記プローブから入力された電磁気的エネルギーと共振可能な可変周波数共振器と、該入力された電磁気的エネルギーと同一の周波数で微弱な電磁気的エネルギーを放出する可変周波数発振器とを有し、
上記プローブが敷設される部屋は、その非導電性の床板の上面に沿って凹部が設けられ、該凹部の平面形状は上記プローブと実質的に同一形状で、上記プローブは上記凹部内に配設され、上記プローブと上記床板の上面は実質的に同一平面を形成することを特徴とする、電磁気的エネルギー検知送出装置を備えた建築構造体。  
【請求項８】
上記共振器は入力された電磁気的エネルギーに対して共振するアンテナ的機能及び入力された電磁気的エネルギーの電荷を蓄積するコンデンサ的機能を備え、その蓄積された電磁気的エネルギーを入力された電磁気的エネルギーと同一の周波数で放出する上記可変周波数発振器としての機能も備えたことを特徴とする、請求項７に記載の電磁気的エネルギー検知送出装置を備えた建築構造体。
【請求項９】
上記プローブはアルミニウム、アルミニウム合金、ステンレス鋼又は黄銅製の金属板であることを特徴とする、請求項７に記載の電磁気的エネルギー検知送出装置を備えた建築構造体。
【請求項１０】
上記プローブは複数の平板状の金属製のプローブ片を相互に電気的に結合して構成される、ことを特徴とする、請求項７に記載の電磁気的エネルギー検知送出装置を備えた建築構造体。  
【請求項１１】
上記プローブは導電性が高く、耐腐食性、耐久性等に優れた材質を含んで形成され、厚さは約１ｍｍ〜５ｍｍ程度であることを特徴とする、請求項７に記載の電磁気的エネルギー検知送出装置を備えた建築構造体。
【請求項１２】
上記プローブは上記建物の少なくとも１つの部屋の床に敷複数設され、それぞれ上記シールドケーブルを介して上記本体部に接続され、上記複数のプローブは上記本体部内に設けられた、又はそれぞれの上記シールドケーブルと上記本体部との間に設けられたセレクタにより選択的に上記可変周波数共振器に接続されることを特徴とする、請求項７に記載の電磁気的エネルギー検知送出装置を備えた建築構造体。
【請求項１３】
上記プローブは上記部屋の少なくとも１つの壁及び／又は天井にも敷設され、それぞれ共通の上記シールドケーブルを介して上記本体部に接続される、ことを特徴とする、請求項７に記載の電磁気的エネルギー検知送出装置を備えた建築構造体。
【請求項１４】
上記本体部は上記プローブが敷設された部屋以外の上記建物内に設置されることを特徴とする、請求項７乃至１１に記載の電磁気的エネルギー検知送出装置を備えた建築構造体。
【請求項１５】
上記本体部は、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記本体部はこれらのモードを指定するモード選択手段を有する、ことを特徴とする請求項７記載の電磁気的エネルギー検知送出装置を備えた建築構造体。
【請求項１６】
マイクロコンピュータと、
該コンピュータに接続された操作部と、
該コンピュータに接続され、薄い平板状又はシート状の導電性のプローブから入力された電磁気的エネルギーと共振可能な可変周波数共振器と、
該コンピュータに接続された表示部と、
外部交流電源に接続可能で、少なくとも上記コンピュータと上記表示部に直流を給電するバッテリーと、
上記共振器に接続され、建物の部屋の少なくとも床の上面に沿って配設され、該床上の生体が発する微弱な電磁気的エネルギーに対応して誘起された電磁気的エネルギーを流す上記プローブとを備えた電磁気的エネルギー検知送出装置であって、
上記共振器は入力された電磁気的エネルギーに対して共振するアンテナ的機能及び入力された電磁気的エネルギーの電荷を蓄積するコンデンサ的機能を備え、その蓄積された電磁気的エネルギーを所定の周波数で放出する発振器としての機能も備え、
上記コンピュータは上記操作部で指定入力された周波数を上記共振器に設定し、
上記プローブからの電磁気的エネルギーを上記共振器で検知し、その出力をコンピュータに入力し、上記設定された周波数の電磁気的エネルギーが検知されたか否かを判定して上記表示部に出力し、
上記操作部から該測定した周波数帯での電磁気的エネルギーのフィードバックが指示された場合、上記コンピュータはその旨の指示を上記共振器に出力し、
上記共振器は当該指示に応答して、蓄積された電磁気的エネルギーを上記周波数で放出して上記プローブに与え、
これにより設定された周波数での電磁気的エネルギーのフィードバックがなされることを特徴とする電磁気的エネルギー検知送出装置。
【請求項１７】
上記プローブは導電性が高く、耐腐食性、耐久性等に優れた材質を含んで形成され、厚さは約１ｍｍ〜５ｍｍ程度であることを特徴とする請求項１６記載の電磁気的エネルギー検知送出装置。
【請求項１８】
上記コンピュータは、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記コンピュータはこれらのモードを指定するモード選択手段を有する、ことを特徴とする請求項１６記載の電磁気的エネルギー検知送出装置。
【請求項１９】
生体である被験者の各組織と、それに対応する該被験者の経絡等を流れる微弱な電磁気的エネルギーの周波数との関係をストアしたメモリを有するマイクロコンピュータと、
該コンピュータに接続された操作部と、
該コンピュータに接続され、薄い平板状又はシート状の導電性のプローブから入力された電磁気的エネルギーと共振可能な可変周波数共振器と、
該コンピュータに接続された表示部と、
外部交流電源に接続可能で、少なくとも上記コンピュータと上記表示部に直流を給電するバッテリーと、
上記共振器に接続され、建物の部屋の少なくとも床の上面に沿って配設された上記プローブとを備えた電磁気的エネルギー検知送出装置であって、
上記共振器は入力された電磁気的エネルギーに対して共振するアンテナ的機能及び入力された電磁気的エネルギーの電荷を蓄積するコンデンサ的機能を備え、その蓄積された電磁気的エネルギーを所定の周波数で放出する発振器としての機能も備え、
上記操作部で指定入力された生体の組織名に対応して上記コンピュータのメモリから読み出された周波数を上記共振器に設定し、
該床上の生体が発する微弱な電磁気的エネルギーに対応して誘起され上記プローブを流れる電磁気的エネルギーを上記共振器で検知し、その出力を上記コンピュータに入力し、上記設定された周波数の電磁気的エネルギーが検知されたか否かを判定して上記表示部に出力し、
上記操作部から該測定した周波数帯での電磁気的エネルギーのフィードバックが指示された場合、上記コンピュータはその旨の指示を上記共振器に出力し、
上記共振器は当該指示に応答して、蓄積された電磁気的エネルギーを上記周波数で放出して上記プローブに与え、
これにより設定された周波数での電磁気的エネルギーのフィードバックがなされる、ことを特徴とする電磁気的エネルギー検知送出装置。
【請求項２０】
上記コンピュータは、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記コンピュータはこれらのモードを指定するモード選択手段を有する、ことを特徴とする請求項１９記載の電磁気的エネルギー検知送出装置。
【請求項２１】
マイクロコンピュータと、
該コンピュータに接続された操作部と、
該コンピュータに接続され、周波数可変な電磁気的エネルギーを発振する発振器と、
該コンピュータに接続され、平板状のプローブから入力された電磁気的エネルギーと共振可能な可変周波数共振器と、
該コンピュータに接続された表示部と、
外部交流電源に接続可能で、少なくとも上記コンピュータと上記表示器に直流を給電するバッテリーと、
上記発振器と、上記共振器とに接続され、建物の部屋の少なくとも床の上面に沿って配設された上記プローブとを備えを電磁気的エネルギー検知送出装置であって、
上記操作部で指定入力された周波数を上記共振器に設定し、
該床上の被験者が発する微弱な電磁気的エネルギーに対応して誘起され上記プローブを流れる電磁気的エネルギーを上記共振器で検知し、その出力を上記コンピュータに入力し、上記設定された周波数の電磁気的エネルギーが検知されたか否かを判定して上記表示部に出力し、
上記操作部で指定入力された周波数を上記発振器に設定し、上記発振器から当該周波数の電磁気的エネルギーを上記プローブに出力する、ことを特徴とする電磁気的エネルギー検知送出装置。
【請求項２２】
上記コンピュータは、指定周波数で上記共振器で電磁気的エネルギーを検知するモード、指定周波数で上記発振器から電磁気的エネルギーを送出するモード、これらのいずれか又は両方のモードにおいて周波数を順次変化してスイープするスイープモードとを備え、上記コンピュータはこれらのモードを指定するモード選択手段を有する、ことを特徴とする請求項２１記載の電磁気的エネルギー検知送出装置。
【請求項２３】
上記本体部は、上記プローブを介して検知された電磁気的エネルギーの全ての周波数データを上記コンピュータのメモリにストアし、該ストアされた電磁気的エネルギーの全ての周波数データは上記本体部の外部メモリ接続端子を介して外部メモリにストア可能であり、
上記本体部は、上記電磁気的エネルギー送出のスイープモードが選択されると、当該外部メモリ接続端子を介して該外部メモリから読み出された上記全ての周波数データに従い、当該全ての周波数での電磁気的エネルギーを順次上記発振器からプローブに送出する、ことを特徴とする請求項２１記載の電磁気的エネルギー検知送出装置。
【請求項２４】
上記本体部は、上記プローブを介して被験者から検知された電磁気的エネルギーの全ての周波数データを上記コンピュータのメモリに当該被験者の識別情報と共にストアし、
上記本体部は、当該メモリにストアされた当該被験者の上記全ての周波数データの少なくとも一部を読み出し、それに従い当該少なくとも一部の周波数での電磁気的エネルギーを順次上記発振器からプローブに送出する、ことを特徴とする請求項２１記載の電磁気的エネルギー検知送出装置。
【請求項２５】
生体である被験者の各組織と、それに対応する該被験者の経絡等を流れる微弱な電磁気的エネルギーの周波数との関係をストアしたメモリを有するマイクロコンピュータと、
該コンピュータに接続された操作部と、
該コンピュータに接続され、周波数可変な電磁気的エネルギーを発振する発振器と、
該コンピュータに接続され、平板状のプローブから入力された電磁気的エネルギーと共振可能な可変周波数共振器と、
該コンピュータに接続された表示部と、
外部交流電源に接続可能で、少なくとも上記コンピュータと上記表示部に直流を給電するバッテリーと、
上記発振器と、上記共振器とに接続され、建物の部屋の少なくとも床の上面に沿って配設された上記プローブとを備えた電磁気的エネルギー検知送出装置であって、
上記操作部で指定入力された生体の組織名に対応して上記コンピュータのメモリから読み出された周波数を上記共振器に設定し、
該床上の生体が発する微弱な電磁気的エネルギーに対応して誘起され上記プローブを流れる電磁気的エネルギーを上記共振器で検知し、その出力を上記コンピュータに入力し、上記設定された周波数の電磁気的エネルギーが検知されたか否かを判定して上記表示部に出力し、
上記操作部で指定入力された組織名に対応して上記コンピュータのメモリから読み出された周波数を上記発振器に設定し、上記発振器から当該周波数の電磁気的エネルギーを上記プローブに出力する、ことを特徴とする電磁気的エネルギー検知送出装置。
【請求項２６】
上記コンピュータは、指定周波数で上記共振器で電磁気的エネルギーを検知するモード、指定周波数で上記発振器から電磁気的エネルギーを送出するモード、これらのいずれか又は両方のモードにおいて周波数を順次変化してスイープするスイープモードとを備え、上記コンピュータはこれらのモードを指定するモード選択手段を有する、ことを特徴とする請求項２５記載の電磁気的エネルギー検知送出装置。
【発明の詳細な説明】
【技術分野】
【０００１】
本発明は、人間や動物の生体から発せられる微弱な電磁気的エネルギーを検知し、生体の健康状態に関する情報を得ると共に、健康状態に良い影響を与える電磁気的エネルギーを送出し得る電磁気的エネルギー検知送出装置及び当該装置を備えた建築構造体に関するものである。
【背景技術】
【０００２】
従来から、人体の経絡を流れる微弱な電磁気的エネルギー（電磁波等）をプローブで検知する装置であって、人体の組織である臓器等に異常があるとそれに繋がる経穴を流れる電磁気的エネルギーに乱れが生じるため、プローブによりそれを検知して病気に関する情報を得るようにしたエネルギー検知装置が知られている（例えば、特許文献１参照）。
【０００３】
特許文献１の装置によれば、プローブは、人体が局部的に発している微弱な電磁気的エネルギー（電磁波など）をキャッチして、それに共鳴（共振）するアンテナ的な機能を発揮する。従って、本体部に接続されたプローブを験者が手で持って被験者の身体に近づけ、非接触の状態を保ちながら、経絡に沿って移動させると、当該経絡に繋がる経穴に異常が無いとき、プローブは経絡に沿ってスムーズに移動するが、経穴に異常があるとプローブは微弱な反発力を受け、プローブが移動中に経絡から外れ、スムーズな移動ができなくなる。このように、身体にある各種経絡に沿ってプローブを移動させることにより、身体の異常を発見することができるため、被験者の身体に接触することなく、被験者の病気に関する情報を迅速且つ正確に把握することができる。また、更に、経穴にレーザ光を照射して所定の刺激を与えて当該経穴に関連する部位の治療を行うようにしたものである。
【先行技術文献】
【特許文献】
【０００４】
【特許文献１】特開２００９―２７９１４９号公報
【発明の概要】
【発明が解決しようとする課題】
【０００５】
特許文献１の装置によれば、人体の経絡についての知識を有する者がプローブを被験者の経絡に沿って移動させる必要があり、そのような知識を有しないものが手軽に操作できるものではない。また、検知を行っている間、被験者はプローブによる検知に支障が無いよう一定の姿勢を保つ必要があり、自由に動く事も出来ず、不便を強いられるものであった。
【０００６】
そこで、本願発明においては、被験者等に負担なく容易に身体の電磁気的エネルギーを検知し、当該電磁気的エネルギーを供給可能な電磁気的エネルギー検知送出装置及び当該装置を備えた建築構造体を提供することを目的とする。
本願発明の別の目的は、被験者等に負担なく容易に身体の電磁気的エネルギーを検知して被験者の健康状態に関する情報を得ることを可能とし、被験者の健康状態に良い影響を与える所定の電磁気的エネルギーを出力可能な電磁気的エネルギー検知送出装置、被験者の健康状態に良い影響を与える所定の電磁気的エネルギーを送出可能な電磁気的エネルギー送出装置、及び当該装置を備えた建築構造体を提供することである。  
【課題を解決するための手段】
【０００７】
上記課題を解決するための手段として、以下の各態様を提示する。
第１の態様による電磁気的エネルギー検知送出装置は、建物の部屋内の生体が発する微弱な電磁気的エネルギーに対応して誘起される電磁気的エネルギーを流す薄い平板状又はシート状の導電性のプローブであって、該部屋の床板の上面に沿って敷設されたプローブと、上記建物内に設置され、上記プローブにシールドケーブルを介して接続された本体部と、を備えた電磁気的エネルギー検知送出装置であって、上記本体部は、上記プローブから入力された電磁気的エネルギーと共振可能な可変周波数共振器と、該入力された電磁気的エネルギーと同一の周波数で微弱な電磁気的エネルギーを放出する可変周波数発振器とを有し、上記プローブは、非導電性の上記床板の上面に沿って設けられた凹部内に配設され、該凹部の平面形状は上記プローブと実質的に同一形状で、上記プローブと上記床板の上面は実質的に同一平面を形成することを特徴とする、電磁気的エネルギー検知送出装置とする、ものである。
【０００８】
上記第１の態様によれば、被験者等に負担なく容易に身体の電磁気的エネルギーを検知し、当該電磁気的エネルギーを供給可能な電磁気的エネルギー検知送出装置を提供することができる。更に、被験者等に負担なく容易に身体の電磁気的エネルギーを検知して被験者の健康状態に関する情報を得ることを可能とし、被験者の健康状態に良い影響を与える所定の電磁気的エネルギーを出力可能な電磁気的エネルギー検知送出装置を提供することができる。
【０００９】
第１の態様において、好ましくは、上記共振器は入力された電磁気的エネルギーに対して共振するアンテナ的機能及び入力された電磁気的エネルギーの電荷を蓄積するコンデンサ的機能を備え、その蓄積された電磁気的エネルギーを入力された電磁気的エネルギーと同一の周波数で放出する上記可変周波数発振器としての機能も備えたものである。  
第１の態様において、好ましくは、上記本体部は、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記本体部はこれらのモードを指定するモード選択手段を有するものである。
【００１０】
第２の態様による建築構造体は、建物の部屋内の生体が発する微弱な電磁気的エネルギーに対応して誘起される電磁気的エネルギーを流す薄い平板状又はシート状の導電性のプローブと、上記プローブにシールドケーブルを介して接続された本体部とで構成される電磁気的エネルギー検知送出装置を備えた建築構造体であって、上記本体部は、上記プローブから入力された電磁気的エネルギーと共振可能な可変周波数共振器と、該入力された電磁気的エネルギーと同一の周波数で微弱な電磁気的エネルギーを放出する可変周波数発振器とを有し、上記プローブが敷設される部屋は、その非導電性の床板の上面に沿って凹部が設けられ、該凹部の平面形状は上記プローブと実質的に同一形状で、上記プローブは上記凹部内に配設され、上記プローブと上記床板の上面は実質的に同一平面を形成することを特徴とする、電磁気的エネルギー検知送出装置を備えた建築構造体である。
【００１１】
上記第２の態様によれば、被験者等に負担なく容易に身体の電磁気的エネルギーを検知し、当該電磁気的エネルギーを供給可能な電磁気的エネルギー検知送出装置を備えた建築構造体を提供することができる。更に、被験者等に負担なく容易に身体の電磁気的エネルギーを検知して被験者の健康状態に関する情報を得ることを可能とし、被験者の健康状態に良い影響を与える所定の電磁気的エネルギーを出力可能な電磁気的エネルギー検知送出装置を備えた建築構造体を提供することができる。
【００１２】
第２の態様において、好ましくは、上記共振器は入力された電磁気的エネルギーに対して共振するアンテナ的機能及び入力された電磁気的エネルギーの電荷を蓄積するコンデンサ的機能を備え、その蓄積された電磁気的エネルギーを入力された電磁気的エネルギーと同一の周波数で放出する上記可変周波数発振器としての機能も備えたものである。  
第２の態様において、好ましくは、上記本体部は、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記本体部はこれらのモードを指定するモード選択手段を有するものである。
【００１３】
第２の態様において、好ましくは、上記プローブは上記建物の複数の部屋の床に敷設され、それぞれ上記シールドケーブルを介して上記本体部に接続され、上記複数の部屋に敷設されたプローブは上記本体部内に設けられた、又はそれぞれの上記シールドケーブルと上記本体部との間に設けられたセレクタにより選択的に上記可変周波数共振器に接続されるものである。
これにより、複数の部屋の被験者に対してそれぞれ個別に同時に、被験者の健康状態に関する情報を得ることを可能とし、被験者の健康状態に良い影響を与える所定の電磁気的エネルギーを出力可能となる。
第２の態様において、好ましくは、上記プローブは上記部屋の少なくとも１つの壁及び／又は天井にも敷設され、それぞれ共通の上記シールドケーブルを介して上記本体部に接続されるものである。
【００１４】
第３の態様による電磁気的エネルギー検知送出装置は、マイクロコンピュータと、該コンピュータに接続された操作部と、該コンピュータに接続され、薄い平板状又はシート状の導電性のプローブから入力された電磁気的エネルギーと共振可能な可変周波数共振器と、該コンピュータに接続された表示部と、外部交流電源に接続可能で、少なくとも上記コンピュータと上記表示部に直流を給電するバッテリーと、上記共振器に接続され、建物の部屋の少なくとも床の上面に沿って配設され、該床上の生体が発する微弱な電磁気的エネルギーに対応して誘起された電磁気的エネルギーを流す上記プローブとを備えた電磁気的エネルギー検知送出装置であって、上記共振器は入力された電磁気的エネルギーに対して共振するアンテナ的機能及び入力された電磁気的エネルギーの電荷を蓄積するコンデンサ的機能を備え、その蓄積された電磁気的エネルギーを所定の周波数で放出する発振器としての機能も備え、上記コンピュータは上記操作部で指定入力された周波数を上記共振器に設定し、上記プローブからの電磁気的エネルギーを上記共振器で検知し、その出力をコンピュータに入力し、上記設定された周波数の電磁気的エネルギーが検知されたか否かを判定して上記表示部に出力し、上記操作部から該測定した周波数帯での電磁気的エネルギーのフィードバックが指示された場合、上記コンピュータはその旨の指示を上記共振器に出力し、上記共振器は当該指示に応答して、蓄積された電磁気的エネルギーを上記周波数で放出して上記プローブに与え、これにより設定された周波数での電磁気的エネルギーのフィードバックがなされることを特徴とする電磁気的エネルギー検知送出装置、を備えたものである。
【００１５】
第４の態様による電磁気的エネルギー検知送出装置は、生体である被験者の各組織と、それに対応する該被験者の経絡等を流れる微弱な電磁気的エネルギーの周波数との関係をストアしたメモリを有するマイクロコンピュータと、該コンピュータに接続された操作部と、該コンピュータに接続され、薄い平板状又はシート状の導電性のプローブから入力された電磁気的エネルギーと共振可能な可変周波数共振器と、該コンピュータに接続された表示部と、外部交流電源に接続可能で、少なくとも上記コンピュータと上記表示部に直流を給電するバッテリーと、上記共振器に接続され、建物の部屋の少なくとも床の上面に沿って配設された上記プローブとを備えた電磁気的エネルギー検知送出装置であって、上記共振器は入力された電磁気的エネルギーに対して共振するアンテナ的機能及び入力された電磁気的エネルギーの電荷を蓄積するコンデンサ的機能を備え、その蓄積された電磁気的エネルギーを所定の周波数で放出する発振器としての機能も備え、上記操作部で指定入力された生体の組織名に対応して上記コンピュータのメモリから読み出された周波数を上記共振器に設定し、該床上の生体が発する微弱な電磁気的エネルギーに対応して誘起され上記プローブを流れる電磁気的エネルギーを上記共振器で検知し、その出力を上記コンピュータに入力し、上記設定された周波数の電磁気的エネルギーが検知されたか否かを判定して上記表示部に出力し、上記操作部から該測定した周波数帯での電磁気的エネルギーのフィードバックが指示された場合、上記コンピュータはその旨の指示を上記共振器に出力し、上記共振器は当該指示に応答して、蓄積された電磁気的エネルギーを上記周波数で放出して上記プローブに与え、これにより設定された周波数での電磁気的エネルギーのフィードバックがなされる、ことを特徴とする電磁気的エネルギー検知送出装置、を備えたものである。
【００１６】
第５の態様による電磁気的エネルギー検知送出装置は、マイクロコンピュータと、該コンピュータに接続された操作部と、該コンピュータに接続され、周波数可変な電磁気的エネルギーを発振する発振器と、該コンピュータに接続され、平板状のプローブから入力された電磁気的エネルギーと共振可能な可変周波数共振器と、該コンピュータに接続された表示部と、外部交流電源に接続可能で、少なくとも上記コンピュータと上記表示器に直流を給電するバッテリーと、上記発振器と、上記共振器とに接続され、建物の部屋の少なくとも床の上面に沿って配設された上記プローブとを備えた電磁気的エネルギー検知送出装置であって、上記操作部で指定入力された周波数を上記共振器に設定し、該床上の生体が発する微弱な電磁気的エネルギーに対応して誘起され上記プローブを流れる電磁気的エネルギーを上記共振器で検知し、その出力を上記コンピュータに入力し、上記設定された周波数の電磁気的エネルギーが検知されたか否かを判定して上記表示部に出力し、上記操作部で指定入力された周波数を上記発振器に設定し、上記発振器から当該周波数の電磁気的エネルギーを上記プローブに出力する、ことを特徴とする電磁気的エネルギー検知送出装置、を備えたものである。
【００１７】
第５の態様において、好ましくは、上記本体部は、上記プローブを介して検知された電磁気的エネルギーの全ての周波数データを上記コンピュータのメモリにストアし、該ストアされた電磁気的エネルギーの全ての周波数データは上記本体部の図示しないインターフェイス、外部メモリ接続端子を介して外部メモリにストア可能であり、上記本体部は、上記電磁気的エネルギー送出のスイープモードが選択されると、当該インターフェイス、外部メモリ接続端子を介して該外部メモリから読み出された上記全ての周波数データに従い、当該全ての周波数での電磁気的エネルギーを順次上記発振器からプローブに送出するものである。
これにより、一旦検知を行えば、検知を行った本体部に限定されず任意の場所、日時に、被験者の周波数特性に沿った電磁気的エネルギーの送出を行うことが出来る。
【００１８】
第６の態様による電磁気的エネルギー検知送出装置は、生体である被験者の各組織と、それに対応する該被験者の経絡等を流れる微弱な電磁気的エネルギーの周波数との関係をストアしたメモリを有するマイクロコンピュータと、該コンピュータに接続された操作部と、該コンピュータに接続され、周波数可変な電磁気的エネルギーを発振する発振器と、該コンピュータに接続され、平板状のプローブから入力された電磁気的エネルギーと共振可能な可変周波数共振器と、該コンピュータに接続された表示部と、外部交流電源に接続可能で、少なくとも上記コンピュータと上記表示部に直流を給電するバッテリーと、上記発振器と、上記共振器とに接続され、建物の部屋の少なくとも床の上面に沿って配設された上記プローブとを備えを電磁気的エネルギー検知送出装置であって、上記操作部で指定入力された生体の組織名に対応して上記コンピュータのメモリから読み出された周波数を上記共振器に設定し、該床上の生体が発する微弱な電磁気的エネルギーに対応して誘起され上記プローブを流れる電磁気的エネルギーを上記共振器で検知し、その出力を上記コンピュータに入力し、上記設定された周波数の電磁気的エネルギーが検知されたか否かを判定して上記表示部に出力し、上記操作部で指定入力された組織名に対応して上記コンピュータのメモリから読み出された周波数を上記発振器に設定し、上記発振器から当該周波数の電磁気的エネルギーを上記プローブに出力する、ことを特徴とする電磁気的エネルギー検知送出装置、を備えたものである。
【発明の効果】
【００１９】
本発明による電磁気的エネルギー検知送出装置によれば、被験者等に負担なく容易に身体の電磁気的エネルギーを検知し、当該電磁気的エネルギーを供給可能な電磁気的エネルギー検知送出装置を提供することができる。更に、被験者等に負担なく容易に身体の電磁気的エネルギーを検知して被験者の健康状態に関する情報を得ることを可能とし、被験者の健康状態に良い影響を与える所定の電磁気的エネルギーを出力可能な電磁気的エネルギー検知送出装置を提供することができる。
また、本発明による電磁気的エネルギー検知送出装置を備えた建築構造体によれば、被験者等に負担なく容易に身体の電磁気的エネルギーを検知し、当該電磁気的エネルギーを供給可能な電磁気的エネルギー検知送出装置を備えた建築構造体を提供することができる。更に、被験者等に負担なく容易に身体の電磁気的エネルギーを検知して被験者の健康状態に関する情報を得ることを可能とし、被験者の健康状態に良い影響を与える所定の電磁気的エネルギーを出力可能な電磁気的エネルギー検知送出装置を備えた建築構造体を提供することができる。
【図面の簡単な説明】
【００２０】
【図１】本発明による電磁気的エネルギー検知送出装置の第１の実施の形態を説明するブロック図である。
【図２】図１の電磁気的エネルギー検知送出装置の動作を説明するフローチャートである。
【図３】図１の可変周波数共振器の一例を示すブロック図である。
【図４】本発明による電磁気的エネルギー検知送出装置の第１の実施の形態の変形例を説明するブロック図である。
【図５】本発明による電磁気的エネルギー検知送出装置の第２の実施の形態を説明するブロック図である。
【図６】本発明による電磁気的エネルギー検知送出装置の各実施の形態及びその変形例における各種オートモード動作を説明するフローチャートである。
【図７】図１に示す電磁気的エネルギー検知送出装置のプローブの木造建物での床面への配置例を示す断面図である。
【図８】図１に示す電磁気的エネルギー検知送出装置のプローブのＲＣ、ＲＣＳ構造建物での床面への配置例を示す断面図である。
【図９】図１に示す電磁気的エネルギー検知送出装置のプローブの２階建て家屋での床面への配置例を示す平面図であり、（イ）は１階、（ロ）は２階のそれぞれ平面図である。
【図１０】図１に示す電磁気的エネルギー検知送出装置のプローブの２階建て家屋での壁面等への配置例を示す断面図である。
【図１１】図１等に示す電磁気的エネルギー検知送出装置のセレクタを示す概略図である。
【発明を実施するための形態】
【００２１】
以下、本発明による電磁気的エネルギー検知送出装置及び当該装置を備えた建築構造体（又は建築ユニット）の実施の形態について、添付図面を参照して説明する。
【００２２】
図１は、本発明による電磁気的エネルギー検知送出装置の第１の実施の形態を説明するための模式図である。
本実施の形態においては、被験者である生体（人間、動物等）が座るか横たわる部屋の床の上面に配設された平板状のプローブ、例えば、金属板により、被験者の経絡等を流れる微弱な電磁気的エネルギーから誘起された微弱な電磁気的エネルギーをプローブに流し、それをケーブルを介して電磁気的エネルギー検知送出装置により検知すると共に、当該検知された電磁気的エネルギーと同一又は同等の電磁気的エネルギーをプローブにフィードバックするようにしたものである。
ここで、経絡等を流れる微弱な電磁気的エネルギーを検知してプローブに流れる電磁気的エネルギー、プローブにフィードバックする電磁気的エネルギーはおよそ数ｍＶ、数ｍＡで周波数は数Ｈｚ〜数ＭＨｚの範囲内である。
【００２３】
図１において、電磁気的エネルギー検知送出装置１００は電磁気的エネルギー検知送出装置本体部１（以下、単に本体部と称す）とそれに接続されたプローブ１０とを備える。本体部１は、ＲＡＭ、ＲＯＭ等のメモリ３を内蔵したマイコン（即ち、制御部であるマイクロコンピュータ）２と、マイコンに対して種々の指示、操作入力を与えるキーボード、操作ボタン（操作スイッチ）又はタッチパネル等の操作画面などを備えた操作部５と、マイコン２からの表示出力を表示する液晶画面等から成る表示部６と、マイコン２からの指示に従って共振周波数が可変な可変周波数共振器４とを備える。可変周波数共振器４は後述するように発振周波数が可変な可変周波数発振器としても機能する。本体部１は更に充電式バッテリー９を備え、バッテリー９は外部商用交流電源に接続される給電ケーブル７に接続した外部の整流器８からの直流電流により充電される。バッテリー９の出力は図示しない電源スイッチを介してマイコン２、操作部５、表示部６に図示しない給電線によりそれぞれ接続され、直流を供給し駆動する。なお共振器４には、後述するように、バッテリー９からの直流を供給しなくても良い。
一方、本体部１が充電式バッテリー９を内蔵せず、外部のＡＣアダプタにより直接、直流を本体部１内の各構成要素に供給するように構成されても良い。
共振器４はケーブル、好ましくは外部の電磁波等の影響を極力避けるためシールドケーブル１２、１３にて本体部１の外部に設けられたプローブ１０の一端に接続される。プローブ１０の他端はアース線１１によりアース（グラウンド側に接続）されている。プローブ１０は後述するように、例えば、薄い平板状の金属板で構成される。  
【００２４】
次に図１の電磁気的エネルギー検知送出装置１００の動作について図２のフローチャートを参照して説明する。図２のフローチャートはマイコン２のメモリ３内のプログラムにより実行される動作を説明するものである。
【００２５】
先ず、電磁気的エネルギー検知送出のマニュアルモードについて説明する。
最初に、ユーザ（以下、ユーザは被験者と同一人物であっても良く、そうでなくても良い）は図示しない電源スイッチをオンして本体部１の各部２，５，６に給電を行う（ステップ。次に、操作部５において電磁気的エネルギー検知送出のマニュアルモードを選択し（ステップＳ２）、かつ検知（測定）したい周波数（又は周波数帯）を指定入力する（ステップＳ３）。
ここでは、人体等の経絡等を流れる微弱な電磁気的エネルギーの周波数範囲に関して、所望の検知（計測）周波数（又は周波数帯）を指定して入力する。
マイコン２は指定された周波数（帯）に可変周波数共振器４の共振周波数（帯）を設定すると共に、表示器６にその設定周波数（帯）を表示する（ステップＳ４）。
その後、マイコン２が共振器４の入力側スイッチを閉じると、被験者が座った部屋の床の上面に配設されたプローブ（金属板）１０には、被験者の経絡等を流れる微弱な電磁気的エネルギーにより微弱な電磁気的エネルギーが誘起されて流れており、それがケーブル１２を介して共振器４に入力される。
共振器４は、後述するように、一例として、ケーブル１２を介して共振器４に入力される微弱な電磁気的エネルギー（電磁波など）をキャッチして、それに共鳴（共振）するアンテナ的機能及び入力された電磁気的エネルギーの電荷を蓄積するコンデンサ的機能を備えており、その蓄積された電磁気的エネルギーを所定の周波数で放出する可変周波数発振器としての機能も備える。  
共振器４は、その設定された周波数（帯）の電磁気的エネルギーが入力された場合には、共振して微弱な電圧レベルの出力をマイコン２に与える。
マイコン２は共振器４から所定レベル以上の出力があった場合にはその旨（当該周波数（帯）の電磁気的エネルギーが検出された旨）を、また、無い場合（所定レベル未満の出力の場合）にはその旨（当該周波数（帯）の電磁気的エネルギーが検出されなかった旨）を測定結果として表示器６に表示する（ステップＳ５）。
【００２６】
次いで、操作部５から該測定した周波数（帯）での電磁気的エネルギー（電磁気的エネルギー）のフィードバックが指示された場合、マイコン２はその旨の指示を共振器４に出力する（ステップＳ６）。
共振器４は当該指示に応答して、その出力側スイッチが閉じ、蓄積された電磁気的エネルギーが上記周波数（帯）で放出し数ミリＶの電磁気的エネルギーとして、ケーブル１３を介してプローブ１０に与える（ステップＳ７）。これにより設定された周波数（帯）での電磁気的エネルギーのフィードバックがなされる。なお、共振器４に十分な電磁気的エネルギーが蓄積されるに要する時間を勘案して、入力側スイッチが閉じられた後、所定時間経過するまではフィードバック指示を受け付けないようにし、その旨を表示器に表示するようにしても良い。
一方、当該周波数（帯）の電磁気的エネルギーが検出されなかった場合には、その電磁気的エネルギーのフィードバックは行われないため、操作部５からフィードバックが指示された場合には、マイコン２はそのフィードバックが不可との表示を表示部６に行うと共に、その指示の受付を拒否するようにすれば良い。
この場合、被験者に対して、検知不能と共に再試行の提示を表示部６に行うようにしても良い。例えば「ご指示の周波数が検知できませんでした。座る位置等を変えて再試行ボタンを押してください。」などの提示及び再試行ボタンを表示部６の画面に表示するようにし、再試行ボタンが押されたらステップＳ４、Ｓ５を再度実行するようにしても良い。これは、被験者のプローブ１０上での座ったり横たわる位置や姿勢が不適切であるために、当該周波数（帯）の電磁気的エネルギーの検出が十分でない場合があるためである。
このようにフィードバックされた電磁気的エネルギーはプローブ１０を介して被験者に作用し、当該周波数（帯）に関連する組織（臓器等）の健康状態に良い影響を与え、ひいては体調に良い影響を与え、心地良さやリラックス状態が期待される。
なお、被験者から検知されたある周波数（帯）の電磁気的エネルギーを被験者にフィードバックすることにより、健康状態や体調に一定の良い影響を与える効果がみられることが知られているものである。
【００２７】
図３の（イ）は、上記可変周波数共振器４の一例を示す模式的な概略構成図である。
ここでは、可変周波数共振器４は、例えば、ＣＲ可変周波数共振部４５で構成され、その入力端はスイッチ４６を介してケーブル１２に、出力端はスイッチ４７を介してケーブル１３に接続されている。スイッチ４６、４７はそれぞれマイコン２からの信号線４３、４４を介して与えられる制御信号によりオンオフ制御される。共振部４５はマイコンからの信号線４１を介して与えられる制御信号によりその共振周波数、発振周波数が制御される。なお、可変周波数共振部４５はＬＣＲ可変周波数共振部などでも良い。
共振部４５は上記した様にアンテナ的機能及び入力された電磁気的エネルギーの電荷を蓄積するコンデンサ的機能を備えており、その蓄積された所定周波数の電磁気的エネルギーを当該所定の周波数で放出する可変周波数発振器としての機能も備える。従って、そのような機能を有するものであればＣＲ可変周波数共振器に限られず、他の公知の可変周波数発振器で良い。
なお、共振部４５は自ら蓄積した電荷により発振を行うため、発振の際に給電される必要は無く、また共振のエネルギーはケーブル１２を介して供給されるため、共振の際の給電も不要である。
【００２８】
以下にこの可変周波数共振器４の動作を説明する。  
共振部４５は、信号線４１を介しての制御信号にて設定された周波数（帯）の電磁気的エネルギーがケーブル１２、スイッチ４６から入力された場合には、ある微弱な電圧レベル（数ミリＶ）の出力を信号線４２を介してマイコン２に与える。
電磁気的エネルギー測定（検知）時においては、操作部５により測定を行う旨及び測定周波数（帯）が指示され、マイコン２からの制御信号により入力側のスイッチ４６はオンされ、他方、出力側のスイッチ４７はオフとされると共に、例えば可変コンデンサの値が指示周波数（帯）に合わせて調整される。これによりケーブル１２を介して入力された電磁気的エネルギーのうち、共振部４５の設定周波数（帯）に属する電磁気的エネルギーが存在する場合には、共振部４５から所定レベル以上の出力がマイコン２に与えられ、その旨（設定周波数が検知された旨）表示器６に表示されると共に、設定周波数（帯）に属するエネルギーはコンデンサに蓄積される。なお、コンデンサの容量はなるべく大きい値のものを採用する。なお、設定周波数（帯）に属する電磁気的エネルギーが存在しない場合には、所定レベル以上の出力が無いため、マイコン２によりその旨（設定周波数が検知されなかった旨）表示器６に表示される。
【００２９】
操作部５により該測定した周波数（帯）での電磁気的エネルギーのフィードバックが指示された場合、マイコン２はその旨の指示を共振部４５に出力する。即ち、マイコン２からの制御信号により入力側のスイッチ４６はオフされ、出力側のスイッチ４７はオンとされる。これにより共振部４５のコンデンサの出力側スイッチが閉じられ、蓄積された電磁気的エネルギーが検知時の上記周波数（帯）で放出され数ミリＶの電磁気的エネルギーとして、ケーブル１３を介してプローブ１０に与えられる。
【００３０】
なお、ある幅の周波数帯に共振するようにすべく、共振部４５は、例えば複数のＣＲ共振回路を並列に配置して構成し、各ＣＲ共振回路はそのコンデンサの値をマイコン２からの指示により可変とし、互いに共振周波数が順次異なり所望の周波数帯になるようにすれば良い。フィードバックにおいては、この設定された全周波数帯に亘りフィードバックを行うようにすれば良い。
なお、測定された周波数帯での電磁気的エネルギーのフィードバックに限らず、その周波数帯の任意の一部での電磁気的エネルギーのフィードバックを行うようにしても良い。その場合には、上記の様に構成された共振部４５の複数のＣＲ共振回路のうちの所望周波数（帯）に対応する少なくとも１つの共振回路に蓄積された電磁気的エネルギーをフィードバックするようにすれば良い。
また、マイコン２により、上記指定された周波数（帯）での電磁気的エネルギー検知と当該電磁気的エネルギーの送出とを一定時間毎に即ち、一定周期で交互に繰り返すようにしても良い。一般にコンデンサからの放電時間は充電時間に比べて極めて短いため、例えば、電磁気的エネルギー検知の時間を電磁気的エネルギー送出の時間に比べて長く設定して良い。
【００３１】
図３の（ロ）は、可変周波数共振部４５の具体例を示す概念図である。本例においては  図３（イ）のＣＲ共振部４５は、ＣＲ回路４８、その出力側にカソードが接続されたダイオード３７、そのアノードに一端が接続され他端が接地されたコンデンサ３８、コンデンサ３８の一端に接続されマイコン２から信号線４１を介しての制御信号４０により制御されるスイッチ３９で構成される。スイッチ３９の他端はＣＲ回路４８の入力側に接続される。なお、ダイオード３７は整流回路として良い。
このように構成されたＣＲ共振部４５によれば、電磁気的エネルギー測定（検知）時においては、入力側のスイッチ４６はオンされ、他のスイッチ４０、４７はオフとされる。ＣＲ回路４８は信号線４１を介しての制御信号にて設定された周波数（帯）の電磁気的エネルギーがケーブル１２、スイッチ４６から入力された場合には共振して、ある微弱な電圧レベル（数ミリＶ）の出力をダイオード３７で整流後に信号線４２を介してマイコン２に与える。その際に、ダイオード３７で整流後の直流電荷がコンデンサ３８に蓄積される。
電磁気的エネルギーのフィードバック時においては、入力側のスイッチ４６はオフされ、スイッチ３９はオンとされる。するとコンデンサ３８はその蓄積電荷がスイッチ３９を介してＣＲ回路４８に供給され、それによりＣＲ回路４８は検知時の上記周波数（帯）で発振し、数ミリＶの電磁気的エネルギーとして、出力側のオンとされたスイッチ４７、ケーブル１３を介してプローブ１０に与えられる。
【００３２】
なお、可変周波数共振部４５の具体例はこれに限らず、例えば、図３の（ロ）において、スイッチ４７とケーブル１３の間に変圧器を設けて昇圧された電磁気的エネルギーをフィードバックするようにしても良い。
【００３３】
図４は、本発明による電磁気的エネルギー検知送出装置１００の第１の実施の形態の変形例を説明するための模式図である。なお、図４において、図１の構成要素と同一機能を有するものは同一符号を付してその説明を省略する。また図１の整流器、バッテリーは図示を省略している。以下、図１の第１の実施の形態と異なる点について説明する。
当該変形例においては、微弱な電磁気的エネルギーをケーブル１２を介して入力する可変周波数共振器１５とは別に可変周波数発振器１６を設け、操作部５により指定された周波数（帯）をマイコン２から信号線４８を介して与えられる制御信号の指示により発振器１６に設定し、該設定された周波数（帯）の微弱な電磁気的エネルギーを発振器１６より発振してケーブル１３を介してプローブ１０に与えるようにしたものである。従って、この場合には、発振器１６はバッテリー９により給電されるものである。
なお、共振器４と異なり共振器１５は入力した電磁気的エネルギーを放出する機能は備えてなくてよいが、その基本構成は共振部４５と同様で良い。即ち、例えば、図３（ハ）の様に構成されて良いが、これに限るものでは無い。
【００３４】
また、当該変形例においては、共振器１５とは別に発振器１６を設けているため、第１の実施の形態と異なり、ある周波数（帯）の電磁気的エネルギーが共振器１５で検出されなかった場合でも、発振器１６からその周波数（帯）の電磁気的エネルギーの供給が可能である。更に、当該変形例においても、上記第１の実施の形態と同様な変更や修正が可能である。
当該変形例においても、被験者から検知されたある周波数（帯）の電磁気的エネルギーと同一の周波数（帯）の電磁気的エネルギーをプローブ１０に与えることにより、当該電磁気的エネルギーがプローブ１０を介して被験者に作用し、当該周波数（帯）に関連する組織（臓器等）の健康状態に良い影響を与え、ひいては体調に良い影響を与え、心地良さやリラックス状態が期待される。
【００３５】
図５は、本発明による電磁気的エネルギー検知送出装置１００の第２の実施の形態を説明するためのブロック図である。本実施の形態の基本構成はメモリ３を除いて図１の第１の実施の形態と実質的に同様である。なお、図１の整流器、バッテリーは図示を省略している。また、図５において、図１の構成要素と同一機能を有するものは同一符号を付してその説明を省略する。
本実施の形態においては、被験者身体の部位又は組織（臓器等）の健康状態と該被験者の経絡等を流れる微弱な電磁気的エネルギーの周波数（帯）とは密接な関係があるとの経験的な知見に基づき、被験者が座った部屋の床の上面に配設されたプローブ（金属板）により、被験者の経絡等を流れる微弱な電磁気的エネルギーを誘起し、ケーブルを介して検知して被験者身体の部位（臓器等）の健康状態に関する情報を得ると共に、当該電磁気的エネルギーをプローブにフィードバックして被験者の健康状態に良い影響を与え、ひいては体調に良い影響を与え、心地良さやリラックス状態が期待されるようにしたものである。
【００３６】
ここで、人体等の生体の経絡等を流れる微弱な電磁気的エネルギーの周波数に関しては、人体の各部位又は組織（臓器等）にはそれぞれ電磁気的エネルギーの固有の周波数（帯）と関連しているとされている。
例えば、人体の心臓、血液循環系に関連する周波数は約４５０ｋＨｚ、大腸に関連する周波数は約６１０ｋＨｚ、肺に関連する周波数は約７２０ｋＨｚといわれている。そこで、メモリ３に各測定対象の部位と対応する周波数（帯）との関係を予めテーブル３１等として設定しておき、操作部５により測定対象の部位（心臓等）を指定することにより、当該テーブル３１を参照して対応する周波数（帯）値を読み出すようにする。  
【００３７】
次に、本実施の形態の動作を、主に第１の実施の形態と異なる点についてのみ簡単に説明する。
先ず、電磁気的エネルギーの測定時において、ユーザは操作部５により測定対象の部位（心臓等）を指定すると、マイコン２は、メモリ３内のテーブル３１から、指定された部位又は組織（臓器等）に対応する周波数（帯）値を読み出し、共振器４の共振周波数（帯）を設定すると共に、表示器５にその部位（臓器等）名及び又はその設定周波数（帯）を表示する。
共振器４は、その設定された周波数（帯）の電磁気的エネルギーが入力された場合には、微弱な所定電圧レベル以上の出力をマイコン２に与える。
マイコン２は共振器４からの出力に基づき被験者の当該身体部位（臓器等）の健康状態の判定をする。即ち、所定レベルの出力がない場合には健全と、所定レベル以上の出力があった場合には健全でない又は不調と判定し、それぞれその旨（当該身体部位（臓器等）が健全、即ち、良好か否か）を表示器６に表示する。
また、操作部５から該測定した周波数（帯）での電磁気的エネルギーのフィードバック、即ち、当該部位（臓器等）の状態の改善を指示された場合、マイコン２はその旨の指示を共振器４に出力すると共に表示器６にその旨を表示する。
共振器４は当該指示に応答して、その出力側スイッチが閉じ、蓄積された電磁気的エネルギーが上記周波数（帯）で放出され数ミリＶ、数ｍＡの電磁気的エネルギーとして、ケーブル１３を介してプローブ１０に与える。
それにより、当該部位又は組織（臓器等）の健康状態に良い影響を与えることが期待される。
【００３８】
第２の実施の形態においても、第１の実施の形態における上記した変形例、修正例を適用可能である。
特に、マイコン２により、指定された周波数（帯）での電磁気的エネルギー検知と当該電磁気的エネルギーの送出とを一定時間毎に、即ち、上記一定周期で交互に繰り返すようにしても良い。
また、周波数（帯）を順次ずらしながら、上記の電磁気的エネルギー検知と当該電磁気的エネルギーの送出とを繰り返すようにしても良い。
なお、マイコン２のテーブル３１としては、単に人体等の生体の各組織（臓器等）とそれぞれに対応する電磁気的エネルギーの周波数（帯）との関係をストアするものであっても良い。
【００３９】
上記第１の実施の形態、第２の実施の形態及びそれらの変形例のいずれにおいても、電磁気的エネルギー検知送出のマニュアルモードについて説明したが、以下に各種オートモードについて図６の各フローチャートを用いて説明する。図６の各フローチャートはマイコン２のメモリ３内のプログラムにより実行される。
先ず、上記第１及び第２の実施の形態共振周波数を指定すると、その周波数の電磁気的エネルギー検知と当該電磁気的エネルギーの送出とを自動的に行うオートモードの動作を図６の（イ）を参照して説明する。
先ず、ユーザは図示しない電源スイッチをオンし（ステップＳ１１）、操作部５において電磁気的エネルギー検知送出のオートモードを選択し（ステップＳ１２）、かつ検知（測定）したい周波数（又は周波数帯）を指定入力する（ステップＳ１３）。マイコン２は指定された周波数（帯）に可変周波数共振器４の共振周波数（帯）を設定すると共に、表示器６にその設定周波数（帯）を表示すると共にオートモードである旨を表示する（ステップＳ１４）。その後、マイコン２が共振器４の入力側スイッチを閉じ、プローブ１０から電磁気的エネルギーを共振器４に入力する（ステップＳ１５）。共振器４から所定レベル以上の出力があった場合にはその旨（当該周波数（帯）の電磁気的エネルギーが検出された旨）を、また、無い場合（所定レベル未満の出力の場合）にはその旨（当該周波数（帯）の電磁気的エネルギーが検出されなかった旨）を測定結果として表示器６に表示する（ステップＳ１６）。検出されない場合は、フィードバック処理を行うことが無いため処理を終了し、その旨を表示する。
なお、上記した第１の実施の形態と同様に、検出されない場合には、被験者に対して、検知不能と共に再試行の提示を表示部６に行うようにしても良い。
検出された場合には、十分な電磁気的エネルギーが蓄積されるに要する時間である所定時間経過後に、マイコン２は共振器４の出力側スイッチを閉じ、蓄積された電磁気的エネルギーを上記周波数（帯）で放出し、その旨を表示する（ステップＳ１７）。その後、放出に要する時間の経過後、再びステップＳ１５に戻りステップＳ１５〜Ｓ１７を繰り返す。ユーザが当該オートモード動作の停止を操作部５から指示すると以上の処理を終了する。別の周波数（帯）での検知送出を行う場合には、同様の操作を行えば良い。
なお、変形例においては、共振器１５と別に発振器１６が設けられているため、電磁気的エネルギーの検出の有無に拘わらず当該周波数での電磁気的エネルギーの供給を発振器１６よりプローブ１０に対して行うもので、上記所定時間経過を待つことなく、検出後に速やかに電磁気的エネルギーの供給をプローブ１０に対して行うものである。
【００４０】
次に、マイコン２により、上記一定周期又はそれより長い周期で、周波数（帯）を順次ずらしながら、上記の電磁気的エネルギー検知と当該電磁気的エネルギーの送出とを繰り返すオートスイープモードを上記第１、第２実施の形態に適用した場合ついて図６の（ロ）を参照して説明する。
即ち、マイコン２により自動的に共振器の共振周波数を連続的にスイープし、連続的に数Ｈｚ〜数十ＭＨｚの周波数に亘り電磁気的エネルギーを検知し、また順次検知した周波数（帯）の電磁気的エネルギーを、順次フィードバックするようにするものである。
なお、図６の（ロ）において（イ）と同様の処理については同一符号を付してその説明を省略する。
ユーザは操作部５において電磁気的エネルギー検知送出のオートスイープモードを選択すると表示器にその旨表示される（ステップＳ２２）。マイコン２は初期の周波数（帯）（所定の可変周波数範囲の最小値）ｆ１に可変周波数共振器４の共振周波数（帯）を設定すると共に、表示器６にその設定周波数（帯）を表示する（ステップＳ２３）。その後、マイコン２が共振器４の入力側スイッチを閉じ、プローブ１０から電磁気的エネルギーを共振器４に入力する（ステップＳ１５）。共振器４から所定レベル以上の出力があった場合にはその旨（当該周波数（帯）の電磁気的エネルギーが検出された旨）を、また、無い場合（所定レベル未満の出力の場合）にはその旨（当該周波数（帯）の電磁気的エネルギーが検出されなかった旨）を測定結果として表示器６に表示する（ステップＳ１６）。検出されない場合は、フィードバック処理を行うことが無いため、その旨を表示すると共に、速やかに再びステップＳ２３に戻る。検出された場合には、十分な電磁気的エネルギーが蓄積されるに要する時間である所定時間経過後に、マイコン２は共振器４の出力側スイッチを閉じ、蓄積された電磁気的エネルギーを上記周波数（帯）で放出し、その旨を表示する（ステップＳ１７）。その後、放出に要する時間の経過後、再びステップＳ２３に戻り、マイコン２は次の周波数（帯）ｆ２（ｆ２＞ｆ１）に可変周波数共振器４の共振周波数（帯）を設定すると共に、表示器６にその設定周波数（帯）を表示する（ステップＳ２３）。同様にしてステップＳ１５〜Ｓ１７、Ｓ２３を繰り返す。所定の可変周波数範囲の最大値ｆｎについてステップＳ１７の処理を終了すると、処理を終了しその旨を表示する（ステップＳ２８）。
なお、ステップＳ２３での表示器６に設定周波数（帯）を表示する処理は行わなくても良い。また、ステップＳ１６での設定周波数（帯）の測定結果の表示は逐次行なわずにステップＳ２８で処理を終了した段階で纏めて表示するようにしても良い。
また、所定の可変周波数範囲のうち、検知送出を行う周波数範囲を任意に設定可能とすることもできる。更に、周波数をｆ１、ｆ２、――ｆｎとステップ状に変化させる際の周波数の変化幅や時間間隔を任意に設定可能とすることもできる。
こうすることで被験者のほぼ全ての部位（臓器等）に対応する周波数についてフィードバックが行われることとなり、従ってほぼ全ての部位（臓器等）の健康状態に良い影響を与えることが期待される。
【００４１】
次に、マイコン２により、上記一定周期又はそれより長い周期で、周波数（帯）を順次ずらしながら、上記の電磁気的エネルギー検知と当該電磁気的エネルギーの送出とを繰り返すオートスイープモードを上記変形例に適用した場合について図６の（ハ）を参照して説明する。なお、図６の（ハ）において（ロ）と同様の処理については同一符号を付してその説明を省略すると共に異なる部分のみを説明する。
変形例においては、共振器１５と別に発振器１６が設けられているため、電磁気的エネルギーの検出の有無に拘わらず当該周波数での電磁気的エネルギーの供給を発振器１６よりプローブ１０に対して行うもので、ステップＳ１７のように十分な電磁気的エネルギーが蓄積されるに要する時間である上記所定時間経過を待つことなく、検出後に速やかにマイコン２は発振器１６に当該周波数を設定し、当該周波数での電磁気的エネルギーの供給をプローブ１０に対して行うものである（ステップＳ２７）。
また、このオートスイープモードにおいては、例えば、共振器１５に設定した共振周波数（帯）ｆ１と僅かに異なる周波数（帯）ｆ１‘が検知された場合で結果として共振器１５から所定レベル以上の出力が得られない場合においても、発振器１６より当該周波数（帯）ｆ１での電磁気的エネルギーが供給されるもので、そのような周波数（帯）が複数あっても自動的にそれら周波数（帯）での電磁気的エネルギーが供給される。
こうすることで被験者の設定周波数範囲に対応する全ての部位又は組織（臓器等）に対応する周波数（帯）での電磁気的エネルギーの供給が行われることとなり、従って全ての部位又は組織（臓器等）の健康状態に良い影響を与えることが期待される。
【００４２】
次に、マイコン２により、周波数（帯）を順次ずらしながら、電磁気的エネルギーの送出のみを繰り返す、送波のみのオートスイープモードを上記第１、第２の実施の形態の変形例に適用した場合について簡単に説明する。この場合には、図６の（ハ）においてステップＳ２３〜Ｓ１６の処理が不要であり、ステップＳ２２で、送波のみのオートスイープモードを設定すると、処理はステップＳ２７に進み、順次、所定時間毎に異なる発振周波数での電磁気的エネルギーの供給が行われる。この場合も同様に、所定の可変周波数範囲のうち、送出を行う周波数範囲を任意に設定可能とすることもでき、更に、周波数をｆ１、ｆ２、――ｆｎとステップ状に変化させる際の周波数の変化幅や時間間隔を任意に設定可能とすることもできる。    
こうすることで被験者の設定周波数範囲に対応する全ての部位（臓器等）に対応する周波数（帯）での電磁気的エネルギーの供給が行われることとなり、従って全ての部位又は組織（臓器等）の健康状態に良い影響を与えることが期待される。
【００４３】
上記第１、第２の実施の形態及びそれらの変形例において、電磁気的エネルギーの検知モードにおいて検知された被験者の周波数特性、即ち、マニュアルモード又はオートスイープモードで所定レベル以上の電磁気的エネルギーが検知されたと判定された全ての周波数（帯）値をマイコン２はメモリ３にストアしておく。好ましくは、被験者毎に検知された周波数（帯）値データを個別にストアしておく。ユーザにより操作部５を操作してメモリ３にストアされている当該被験者の周波数（帯）値データを読み出して、インターフェイス（図示せず）を介して外部メモリ、例えば、ＵＳＢメモリ等の携帯型メモリ（図示せず）にストアする。
次いで、ユーザは適宜、ＵＳＢメモリを使用したい本体部１、即ち、電磁気的エネルギーの送出を行いたい本体部１（この本体部は検知を行った本体部に限らず、別の建物又は部屋等に設置された本体部で構わないが、共振器とは別に発振器を備えた、上記第１、第２の実施の形態の変形例に限る）の外部メモリ接続端子に接続し、当該ＵＳＢメモリから当該被験者の周波数（帯）値データを読み出し、当該本体部の操作部５より送波のみのオートスイープモードを設定する。すると当該被験者の周波数（帯）値データに基づき被験者の設定周波数範囲に対応する全ての部位（臓器等）に対応する周波数（帯）での電磁気的エネルギーが順次発振器から送出されプローブ１０に供給されることとなり、従って全ての部位（臓器等）の健康状態に良い影響を与えることが期待される。
この場合、一旦検知を行えば、検知を行った本体部に限定されず任意の場所、日時に、被験者の周波数特性に沿った電磁気的エネルギーの送出を行うことが出来る。なお、送波のみのオートスイープモードの代わりに、選択的に一部の周波数（帯）について電磁気的エネルギーの発振器からの送出を行っても良い。
【００４４】
また、上記第１、第２の実施の形態の変形例において、被験者の検知された電磁気的エネルギーの周波数特性をチェックするテストモードを設けた例について説明する。ここでは、被験者が健康であるとの自覚がある場合（医師によりその旨の診断結果等があった場合も含む）における、当該被験者の検知された電磁気的エネルギーの周波数特性を基準として（以下、この健康時の周波数特性又はその周波数（帯）を基準周波数特性又は基準周波数（帯）とする）、当該被験者が体調がすぐれない（不調）等の自覚があった場合（医師により体の不具合や不調の診断結果等があった場合を含む）における当該被験者の検知された電磁気的エネルギーの周波数特性をチェックするものである。
先ず、被験者が健康であるとの自覚がある状態において、操作部５への操作により、被験者の健康状態における周波数特性の検知及び記録を指示すると、電磁気的エネルギーの検知モードにおいて検知された被験者の周波数特性、即ち、全周波数（帯）ｆａ〜ｆｚが、例えば、当該被験者の識別情報、検知日等の情報と共に、基準周波数特性又は基準周波数（帯）としてメモリ３にストアされる。
次いで、当該被験者が体調がすぐれない（不調）等の自覚がある場合に、操作部５においてテストモードを指示すると、電磁気的エネルギーの検知モードにおいて検知がなされ、その検知された被験者の周波数特性がメモリ３にストアされた当該被験者の基準周波数特性と比較される。比較の結果、基準周波数（帯）と不一致な（１つ又は複数の）周波数（帯）（例えば、２つの周波数（帯）ｆａ’、ｆｄ’）が検知されると、不一致となった全ての周波数（帯）が、例えば、当該被験者の識別情報、検知日、不調周波数（帯）である旨の情報等と共にメモリ３にストアされる。なお、この不調周波数（帯）は当該被験者毎の履歴情報として随時メモリに記録、管理可能である。
次いで、当該被験者が体調がすぐれないと等の自覚がある場合に、当該被験者の健康時の基準周波数（帯）での電磁気的エネルギーの送出を操作部５において指示する。すると、当該テストモードで検知された不調周波数（帯）（ｆａ’、ｆｄ’）に対応する健康時の基準周波数（帯）（ｆａ、ｆｄ）がメモリ３から読み出され、発振器より当該健康時の基準周波数（帯）での電磁気的エネルギーのプローブ１０への送出がなされる。従って、その後は、この基準周波数（帯）を適宜読み出して発振器より電磁気的エネルギーのプローブ１０への送出を行うことが出来る。なお、当該被験者毎の履歴情報に基づき、過去の全ての不調周波数（帯）のうちの任意の周波数に対応する健康時の基準周波数（帯）を選択的に読み出して電磁気的エネルギーを送出するようにしても良い。
これにより当該被験者の健康状態に良い影響を与え、ひいては体調に良い影響を与え、心地良さやリラックス状態が期待されるようにすることも可能となる。
なお、被験者が体調がすぐれないと等の自覚がある場合に、当該被験者の健康時の周波数特性、即ち、健康時に検知してストアされた基準周波数特性である、当該被験者の全基準周波数（帯）ｆａ〜ｆｚの電磁気的エネルギーをプローブ１０に供給するようにしても良い。
また、上記第２の実施の形態の変形例に適用した場合、上記の比較処理においては、健康な状態における当該被験者の周波数（帯）及び、又はそれに代わりテーブル３１の周波数（帯）データを参照して不一致周波数（帯）、即ち、不調周波数（帯）を検知するようにしても良い。
【００４５】
上記第１、第２の実施の形態及びそれらの変形例のいずれにおいても、電磁気的エネルギー測定時及び電磁気的エネルギーフィードバック（又は供給）時においては、外部の電磁波の影響を極力避けるために、バッテリー９を内蔵している場合には、バッテリーを整流器８、給電ケーブル７を介して外部商用交流電源に接続しない状態でバッテリー９から各部に給電を行うようにする。また、充電式バッテリー９を内蔵せず、外部のＡＣアダプタにより直接、直流を本体部１内の各構成要素に供給するように構成されている場合には、本体部とＡＣアダプタを離すか、ＡＣアダプタの影響を受けないように本体部を電磁シールドする等の工夫を施すのが好ましい。
上記各例における各種モードの選択は操作部５にモード選択スイッチやボタン等のモード選択手段を設けて行うようにすれば良い。
【００４６】
次に、上記各実施の形態及び変形例等による電磁気的エネルギー検知送出装置１００のプローブ１０の建物での配置例、即ち、当該プローブを配設即ち敷設した建築構造体（建築ユニット）例について図７乃至図１０を参照して説明する。
図７は図１に示す電磁気的エネルギー検知送出装置１００用のプローブ１０の木造建物での床面への配置例を示す断面図、図８はプローブ１０のＲＣ、ＲＣＳ構造建物での床面への配置例を示す断面図、図９はプローブ１０の２階建て家屋での床面への配置例を示す平面図であり、（イ）は１階、（ロ）は２階のそれぞれ平面図、図１０はプローブ１０の２階建て家屋での壁面等への配置例を示す断面図である。
【００４７】
これらの図から明らかなようにプローブ１０は複数のプローブ片１０（１）〜１０（ｎ）で構成されている。各プローブ片は、例えば、四角形状、典型的には正方形状の薄い金属板で構成され、それらが連結されて全体として例えば、四角い平板状のプローブを構成している。後述するように各プローブ片はその各側端部が垂直に折り曲げられて側壁部を構成している。各プローブ片を平面状に配置した際に隣接する各プローブ片の側壁部同士が導電性の結合部材５０である、例えば、ジョイントボルトとナットにより結合される。好ましくは各プローブ片の側壁部は２か所で結合部材により結合される（図９の（イ）のリビングのプローブ１０を参照）。この場合、隣接する各プローブ片の側壁部同士は良好な導電性で接合されるよう、即ち、密な接触状態となるように結合部材５０により結合される。
なお、各プローブ片の形状は四角形状に限られるものではなく、例えば、台形状、三角形状（正三角形）等であっても良い。
金属板のサイズは特に限定されないが、一例として各辺が５０ｃｍ乃至１００ｃｍであり、厚さは約１ｍｍ〜５ｍｍ程度である。また、金属板の材質は導電性が高く、耐腐食性、耐久性等に優れたものが好ましく、例えば、アルミニウム、アルミニウム合金、ＳＵＳ（ステンレス鋼）又は黄銅（真鍮）等を用いる。
【００４８】
次に、このプローブ１０の建物への敷設例を図７を参照して説明する。図７は図１に示す電磁気的エネルギー検知送出装置１００用のプローブ１０の木造建物での床面への配置例を示す断面図で、床付近の一部を示すものである。
図７において６０は大引、６１は根太（断熱材）、６２は構造用合板、６３は梁、６４は帯電防止フィルム、６５は非導電性の合板、６６は留め具、６８は非導電性の床板（床仕上げ材）である。帯電防止フィルム６４より下側の構成は通常の木造建物と同様であり、図示したものに限定されない。各合板６５の形状は各プローブ片と相似形、即ち、各プローブ片と同様に四角もしくは正方形状であり、各プローブ片より一回り小さく、その厚さは各プローブ片の側壁部の高さと等しくされる。合板６５は帯電防止フィルム６４の上に配置され、合板６５の上にプローブ片が載置される。ここで各プローブ片の上面と床板（床仕上げ材）６８の上面が同一平面となるように合板６５、床板（床仕上げ材）６８の高さ（厚さ）は調整される。
また、プローブ１０の外周を構成する各プローブ片の外周端は留め具６６により床板（床仕上げ材）６８に固定される（図９の（イ）のリビングのプローブ１０を参照）。
更に、プローブ１０のいずれかのプローブ片にプラグソケット５３が接続され、それによりプローブ１０はプラグソケット５３からケーブル１２，１３を介して本体部１に電気的に接続される。ケーブル１２，１３は好ましくは、プローブ１０の端部から床板６８の下側に沿って本体部１に接続されるもので、プローブ１０を避けて配線される。
なお、各プローブ片の形状、その床への敷設方法、構造は上記に限らない。即ち、各プローブ片（プローブ）は、非導電性の床板の上面に沿って設けられた凹部内に配設され、凹部の平面形状はプローブと実質的に同一形状で、プローブと床板の上面は実質的に同一平面を形成するようにされるものであれば、他のプローブ片の形状、その床への敷設方法、構造を採用可能である。
上記の様に構成されたプローブ１０によれば、プローブ１０の敷設が不要となった場合には、帯電防止フィルム６４、合板６５、留め具６６、各プローブ片、ケーブル１２，１３を取り外し、これらの取り外し後の凹部にプローブ１０と同一形状の合板等を敷設して床板の上面と実質的に同一平面を形成するようにすれば良い。このようにして簡単に各プローブ片等の取り外しが行われ、復元も簡単に行うことが出来る。なお、帯電防止フィルム６４、合板６５はそのままにし、留め具６６、各プローブ片、ケーブル１２，１３を取り外し、取り外し後はプローブ１０と同一形状、同一厚さの床材を敷設するようにしても良い。
【００４９】
次に、このプローブ１０の建物への別の敷設例を図８を参照して説明する。図８はプローブ１０のＲＣ、ＲＣＳ構造建物での床面への配置例を示す断面図で、床付近の一部を示すものである。図８において図７の構成要素と同一機能を有するものは同一符号を付してその説明を省略する。
図８において、７０は台板、７１はパーティクルボード、７２は合板である。合板７２の上に配置された帯電防止フィルム６４、合板６５、各プローブ片等の配置構成は図７と同様であるのでその説明は省略する。
以上のようないずれの敷設例においても、プローブ１０である金属板は床から露出した状態で配設されるため、被験者が衣服を着た状態でプローブ１０の上に座ったり横たわったりしたリラックスした状態の場合でも、衣服から露出した手や足が直接金属板と接触することで効率良く電磁気的エネルギーの検知及び供給がされるものであり、また被験者の衣服を介しても効率良く電磁気的エネルギーの検知及び供給がされるものである。
なお、被験者の衣服が帯電している場合には、プローブ１０に接触する前に被験者は静電気除去装置などにより静電気を除去してからプローブ１０に座る等すれば良い。
【００５０】
次にプローブ１０を例えば２階建ての家屋の各部屋の床面に配設した例を図９を用いて説明する。図９において（イ）は１階、（ロ）は２階のそれぞれ平面図であり、この例では１階の洋室Ａ、リビング、ダイニング、キッチンにそれぞれプローブ１０（１０−１〜１０−４）を配置し、２階の寝室、洋室Ｂ，Ｃ，Ｄにそれぞれプローブ１０（１０−５〜１０−８）を配置したものである。各プローブ１０（１０−１〜１０−４、１０−５〜１０−８）はそれぞれ当該部屋の床に設置されたプラグソケット５３からそれぞれ点線で示すケーブル１２，１３を介して本体部１に接続される。なお、図９の例では各部屋にプローブ１０を配置したが、勿論いずれか少なくとも１部屋に配置するようにして良い。
本体部１に複数プローブ１０を接続する場合には、上記図１，４，５に示した各実施の形態、変形例において図１１に示す様に共振器４（又は共振器１５と発振器１６）と各プローブ１０との間にセレクタ３２を設け、本体部１に接続するプローブ１０（即ち、電磁気的エネルギー検知、送出対象とするプローブ１０）をセレクタ３２を介して選択するようにする。
図１１の例では、例えば、３つのプローブ１０（１０−１〜１０−３）に本体部１がセレクタ３２を介して接続され、ユーザが操作部５により対象とする１つのプローブ１０（１０−１〜１０−３のいずれか）又は部屋（又は同一部屋に複数敷設した場合には、その敷設場所や位置等）を選択するとマイコン２から制御線３６を介して制御信号がセレクタ３２に送られ、選択されたプローブ１０に対応するケーブル、即ち、１２−１〜１２−３のいずれか、及び１３−１〜１３−３のいずれかが選択される。なお、ケーブル１２−１、１３−１はプローブ１０−１に対応し、ケーブル１２−２、１３−２はプローブ１０−２に対応し、ケーブル１２−３、１３−３はプローブ１０−３に対応する。
なお、セレクタ３２は本体部１に内蔵しても良いし、本体部１と各プローブ１０との間に設けても良い。後者の場合には、セレクタ３２におけるプローブ１０の選択をマニュアルスイッチで直接ユーザがセレクタ３２で行うようにしても良い。
【００５１】
なお、複数の部屋にプローブ１０を敷設した場合で、複数の被験者に対して同時に電磁気的エネルギー検知、送波を行うようにしても良い。その場合には、ユーザが操作部５により対象とする複数のプローブ１０又は部屋（場所）を選択するとマイコン２より所定時間（例えば５分）毎にセレクタ３２により選択されたプローブ１０を順次交互に選択して、電磁気的エネルギー検知、送波を行うようにすれば良い。
なお、複数の部屋の各々に１つのプローブ１０を敷設した場合においては、検知、送波の精度、効率確保のため、電磁気的エネルギー検知、送波を行う際には、各部屋には被験者を含め一人のみが居るのが好ましいものであり、被験者以外の人及び動物は居ない方が好ましい。なお、もし被験者以外の人及び動物が居る場合には、プローブ１０から好ましくは約１ｍ以上離れているのが好ましい。
一方、例えば、スポーツクラブのトレーニングルーム、リクリエーション施設等の大きい１つの部屋や、個人住宅のリビングやダイニングキッチンのような１つの部屋に複数のプローブ１０を敷設する場合（図９の例では、リビングダイニングキッチンにプローブ１０−２、１０−３、１０−４が敷設）、隣接するプローブ１０同士は約１ｍ以上離間させるのが好ましい。また、その場合、電磁気的エネルギー検知、送波を行う際には、各プローブ１０上には被験者を含め一人のみが存在するのが好ましく、被験者以外の人及び動物が居る場合には、当該検知、送波対象のプローブ１０から好ましくは約１ｍ以上離れているのが好ましい。
【００５２】
リビングのプローブ１０は、例えば、プローブ片（１０（１）〜１０（１５））を横に３個、縦に５個配列したもので、上記した様に隣接する各プローブ片の側壁部同士が結合部材５０で結合され、プローブ１０の外周を構成する各プローブ片の外周端は留め具６６により床板（床仕上げ材）６８に固定されている。他のプローブも同様に構成されている。
プローブ１０のサイズは、例えば、洋室やリビングにおいては被験者が横たわったり、座ったりした状態で被験者からの電磁気的エネルギーをできるだけ効率よく検知すべく、また被験者に送波電磁気的エネルギーをできるだけ効率よく供給できるよう、被験者との接地面積ができるだけ大きくなるように人体の平均身長程度又はそれ以上のサイズとすることが好ましい。
【００５３】
例えば、８畳の部屋ではプローブ１０は６畳程度の大きさとし、その部屋のほぼ中央に敷設する。部屋のほぼ中央に敷設するのは、例えば、側壁に交流電気配線が施されている場合に、その配線からの放射電磁気的エネルギーのプローブ１０への影響を極力減らすためである（なお、一般に、電磁気的放射エネルギーは距離の二乗に比例して減衰する）。
これに関連してプローブ１０を敷設した部屋の床には交流電気配線を配設しないようにし、出来ればその部屋の全ての側壁、天井にも交流電気配線を配設しないようにする。交流電気配線を配設する場合には、プローブ１０からの距離を十分、例えば、約１ｍ以上確保するのが好ましい。
また、プローブ１０を敷設する部屋にコンセントがある場合には、各コンセントをアースするようにし、またその部屋に家電製品やＡＶ機器等がある場合には、各機器をアースするようにし、プローブ１０による電磁気的エネルギーの検知、送出精度や効率に悪影響を与えないようにするのが好ましい。
なお、電磁気的エネルギーのプローブ１０への影響を極力減らすためプローブを配設した部屋に電磁シールドを施すようにしても良い。
なお、雷対策としてサージ防護機器、保安器、制御用雷検知器等を備えるようにすることが好ましい。
【００５４】
図１０はプローブ１０の２階建て家屋での壁面等への配置例を示す断面図であり、部屋内の被験者からの電磁気的エネルギー検知、被験者への電磁気的エネルギー送波の効率向上のため部屋の少なくとも１つの壁及び又は天井にも更にプローブ１０を配設したものである。壁、天井へのプローブ１０の配設方法、構造は床の場合と同様であり、帯電防止フィルムの上にプローブを載置し、壁上面（表面）（天井下面（表面））とプローブ上面とが同一面をなすようにされる。
例えば、１階のリビング・ダイニングの床にはプローブ１０−１０Ａが配設されケーブル１２−１０Ａ、１３−１０Ａを介してセレクタ３２に接続され、壁にはプローブ１０−１０Ｂが配設されケーブル１２−１０Ｂ、１３−１０Ｂを介してセレクタ３２に接続される。なお、セレクタ３２への途中でケーブル１２−１０Ｂはケーブル１２−１０Ａに結合され、ケーブル１３−１０Ｂはケーブル１３−１０Ａに結合される。
また、例えば、２階の洋室Ｄの床にはプローブ１０−１２Ａが配設されケーブル１２−１２Ａ、１３−１２Ａを介してセレクタ３２に接続され、少なくとも１つの壁、ここでは２か所の壁にはプローブ１０−１２Ｂ、１０−１２Ｃが配設され、それぞれケーブル１２−１２Ｂ、１３−１２Ｂ、１２−１２Ｃ、１３−１２Ｃを介してセレクタ３２に接続され、天井にはプローブ１０−１２Ｄが配設されケーブル１２−１２Ｄ、１３−１２Ｄを介してセレクタ３２に接続される。同様に、セレクタ３２への途中でケーブル１２−１２Ｂ、１２−１２Ｃ、１２−１２Ｄはケーブル１２−１２Ａに結合され、ケーブル１３−１２Ｂ、１３−１２Ｃ、１３−１２Ｄはケーブル１３−１０Ａに結合される。プローブ１０は、勿論、当該部屋の四方の壁に敷設しても良い。
なお、セレクタを設けた場合には、セレクタを介した外来ノイズ混入による検知、送出効率低下の恐れがあるため、検知、送出電磁気的エネルギーに対してブースタ／アンプ等を設けるようにしても良い。
また、部屋の壁や天井に設けたプローブ１０は被験者と直接接触しないため、電磁気的エネルギーの検知送出の効率向上を図るべく、例えば、プローブ１０の裏側にループアンテナ等を配設してプローブ１０に接続するようにして良い。
【００５５】
本体部１が充電式バッテリー９を内蔵せず、外部のＡＣアダプタにより直接、直流を本体部１内の各構成要素に供給するように構成されている場合には、交流電源からの電磁気的エネルギーのプローブ１０への影響を出来る限り避けるために、本体部１はプローブ１０を配設した部屋の外部、例えば、その部屋の外の廊下の壁等に設置する。
建物の複数の部屋にプローブ１０を配設した場合には、同様にそれらの部屋の中間部の廊下の壁等に、２階建ての場合に各階に設置した場合には、それらの中間部、例えば、図９、１０に例示する様に階段付近の側壁等に設置すれば良いが、これらに限定するものではない。
なお、本体部１が充電式バッテリー９を内蔵しており、通常はそのバッテリーから駆動される場合には、プローブ１０を配設した部屋内に本体部１を設けても良い。
【００５６】
上記の説明では、プローブ１０は複数のプローブ片から構成するようにしたが、１枚の金属板で構成するようにしても構わない。その場合、合板６５は１枚とし、その上に１枚の金属板であるプローブ１０を敷設すれば良い。
プローブ１０として複数又は１枚の金属板を用いて構成したが、これに限らず非導電性のシート状の１枚の薄い布に、例えば、アルミニウム、アルミニウム合金、ＳＵＳ（ステンレス鋼）又は黄銅等からなる１本の糸状導線又は細い板状の金属を、例えば、縦横に編み込んだものを用いても良い。１本の糸状導線又は細い板状の金属の編み込みパターンは任意であり、例えば、弓字形状のパターンとし、隣接する導線又は板状金属の間隔は１ｍｍ程度とするのが好ましい。
プローブ１０である１枚の導電性シートは、寝具のシーツの様に折り畳んだり広げて敷いたりすることができ、使用の際に、上記の１枚の金属板を用いた場合と同様に１枚の合板６５の上に敷設すれば良い。一方、図７，８のように床板（床仕上げ材６８）に凹部を設けず、そのまま床板の上に１枚の導電性シートを敷いて使用するようにしても良い。
また、本発明は図７乃至１０に示した建物に限らずスポーツクラブ、リクリエーション施設、老人ホームなどの老人福祉施設等、種々の建物、施設に適用可能である。
更に、プローブ１０は上記のように建物に当初より備わった部屋に敷設する場合に限らず、中古住宅等へのリノベーションなどで改装された部屋の床等に敷設する場合、リラクゼーションルーム、防音室等の後に設置される部屋の床等に敷設する場合にも適用可能である。その場合、当初の部屋の床板（床仕上げ材６８）に図７等に示す様に凹部を設けて帯電防止フィルム６４、合板６５、各プローブ片等を敷設するようにしても良い。又は当初の部屋の床板（床仕上げ材６８）の上に帯電防止フィルム６４、合板６５、各プローブ片等を敷設するようにするか、単に平板状のプローブを敷設するようにしても良く、いずれも適宜、新たに設置させる部屋の構造に合わせて、その部屋の床板の上面に沿ってプローブを敷設すれば良い。
従って、上記の説明での部屋は建物に当初より備わった部屋に限らず、中古住宅等へのリノベーションで改装された部屋や後に設置される部屋等のいずれも含むものである。
また、本発明は上記した電磁気的エネルギー検知送出装置に限らず、電磁気的エネルギーを検知する機能のみの電磁気的エネルギー検知装置、又は、当該電磁気的エネルギーをプローブに送出する機能のみの電磁気的エネルギー送出装置としても実現可能であることは言うまでもない。
【００５７】
なお、本発明は、上述した実施形態に限定されるものではなく、本発明の技術思想を逸脱しない範囲で種々の変更等が可能である。その他、上述した実施形態における各構成要素の材質、形状、寸法、数、配置箇所、等は本発明を達成できるものであれば任意であり、実施形態に限定されない。
【００５８】
ここで、上述した本発明に係る電磁気的エネルギー検知送出装置及び当該装置を備えた建築構造体の実施形態の特徴をそれぞれ以下（１）〜（２５）に簡潔に纏めて列記する。
（１）建物の部屋内の生体が発する微弱な電磁気的エネルギーに対応して誘起される電磁気的エネルギーを流す薄い平板状又はシート状の導電性のプローブであって、該部屋の床板の上面に沿って敷設されたプローブと、
上記建物内に設置され、上記プローブにシールドケーブルを介して接続された本体部と、を備えた電磁気的エネルギー検知送出装置であって、
上記本体部は、上記プローブから入力された電磁気的エネルギーと共振可能な可変周波数共振器と、該入力された電磁気的エネルギーと同一の周波数で微弱な電磁気的エネルギーを放出する可変周波数発振器とを有し、
上記プローブは、非導電性の上記床板の上面に沿って設けられた凹部内に配設され、該凹部の平面形状は上記プローブと実質的に同一形状で、上記プローブと上記床板の上面は実質的に同一平面を形成する、電磁気的エネルギー検知送出装置。
（２）上記共振器は入力された電磁気的エネルギーに対して共振するアンテナ的機能及び入力された電磁気的エネルギーの電荷を蓄積するコンデンサ的機能を備え、その蓄積された電磁気的エネルギーを入力された電磁気的エネルギーと同一の周波数で放出する上記可変周波数発振器としての機能も備えた、上記（１）に記載の電磁気的エネルギー検知送出装置。
（３）上記プローブはアルミニウム、アルミニウム合金、ステンレス鋼又は黄銅製の金属板である、上記（１）に記載の電磁気的エネルギー検知送出装置。
（４）上記プローブは複数の平板状の金属製のプローブ片を相互に電気的に結合して構成される、上記（１）に記載の電磁気的エネルギー検知送出装置。
（５）上記プローブは導電性が高く、耐腐食性、耐久性等に優れた材質を含んで形成され、厚さは約１ｍｍ〜５ｍｍ程度である、上記（１）に記載の電磁気的エネルギー検知送出装置。
（６）上記本体部は、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記本体部はこれらのモードを指定するモード選択手段を有する、上記（１）に記載の電磁気的エネルギー検知送出装置。
（７）建物の部屋内の生体が発する微弱な電磁気的エネルギーに対応して誘起される電磁気的エネルギーを流す薄い平板状又はシート状の導電性のプローブと、上記プローブにシールドケーブルを介して接続された本体部とで構成される電磁気的エネルギー検知送出装置を備えた建築構造体であって、
上記本体部は、上記プローブから入力された電磁気的エネルギーと共振可能な可変周波数共振器と、該入力された電磁気的エネルギーと同一の周波数で微弱な電磁気的エネルギーを放出する可変周波数発振器とを有し、
上記プローブが敷設される部屋は、その非導電性の床板の上面に沿って凹部が設けられ、該凹部の平面形状は上記プローブと実質的に同一形状で、上記プローブは上記凹部内に配設され、上記プローブと上記床板の上面は実質的に同一平面を形成する、電磁気的エネルギー検知送出装置を備えた建築構造体。  
（８）上記共振器は入力された電磁気的エネルギーに対して共振するアンテナ的機能及び入力された電磁気的エネルギーの電荷を蓄積するコンデンサ的機能を備え、その蓄積された電磁気的エネルギーを入力された電磁気的エネルギーと同一の周波数で放出する上記可変周波数発振器としての機能も備えた、（７）に記載の建築構造体。
（９）上記プローブはアルミニウム、アルミニウム合金、ステンレス鋼又は黄銅製の金属板である、（７）に記載の建築構造体。
（１０）上記プローブは複数の平板状の金属製のプローブ片を相互に電気的に結合して構成される、（７）に記載の建築構造体。
（１２）上記プローブは上記建物の少なくとも１つの部屋の床に複数敷設され、それぞれ上記シールドケーブルを介して上記本体部に接続され、上記複数のプローブは上記本体部内に設けられた、又はそれぞれの上記シールドケーブルと上記本体部との間に設けられたセレクタにより選択的に上記可変周波数共振器に接続される、（７）に記載の建築構造体。
（１３）上記プローブは上記部屋の少なくとも１つの壁及び／又は天井にも敷設され、それぞれ共通の上記シールドケーブルを介して上記本体部に接続される、（７）に記載の建築構造体。
（１４）上記本体部は上記プローブが敷設された部屋以外の上記建物内に設置される、（７）に記載の建築構造体。
（１５）上記本体部は、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記本体部はこれらのモードを指定するモード選択手段を有する、（７）に記載の建築構造体。
（１６）マイクロコンピュータと、
該コンピュータに接続された操作部と、
該コンピュータに接続され、薄い平板状又はシート状の導電性のプローブから入力された電磁気的エネルギーと共振可能な可変周波数共振器と、
該コンピュータに接続された表示部と、
外部交流電源に接続可能で、少なくとも上記コンピュータと上記表示部に直流を給電するバッテリーと、
上記共振器に接続され、建物の部屋の少なくとも床の上面に沿って配設され、該床上の生体が発する微弱な電磁気的エネルギーに対応して誘起された電磁気的エネルギーを流す上記プローブとを備えた電磁気的エネルギー検知送出装置であって、
上記共振器は入力された電磁気的エネルギーに対して共振するアンテナ的機能及び入力された電磁気的エネルギーの電荷を蓄積するコンデンサ的機能を備え、その蓄積された電磁気的エネルギーを所定の周波数で放出する発振器としての機能も備え、
上記コンピュータは上記操作部で指定入力された周波数を上記共振器に設定し、
上記プローブからの電磁気的エネルギーを上記共振器で検知し、その出力をコンピュータに入力し、上記設定された周波数の電磁気的エネルギーが検知されたか否かを判定して上記表示部に出力し、
上記操作部から該測定した周波数帯での電磁気的エネルギーのフィードバックが指示された場合、上記コンピュータはその旨の指示を上記共振器に出力し、
上記共振器は当該指示に応答して、蓄積された電磁気的エネルギーを上記周波数で放出して上記プローブに与え、
これにより設定された周波数での電磁気的エネルギーのフィードバックがなされる、電磁気的エネルギー検知送出装置。
（１７）上記プローブは導電性が高く、耐腐食性、耐久性等に優れた材質を含んで形成され、厚さは約１ｍｍ〜５ｍｍ程度である、（１６）に記載の電磁気的エネルギー検知送出装置。
（１８）上記コンピュータは、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記コンピュータはこれらのモードを指定するモード選択手段を有する、（１６）に記載の電磁気的エネルギー検知送出装置。
（１９）生体である被験者の各組織と、それに対応する該被験者の経絡等を流れる微弱な電磁気的エネルギーの周波数との関係をストアしたメモリを有するマイクロコンピュータと、該コンピュータに接続された操作部と、
該コンピュータに接続され、薄い平板状又はシート状の導電性のプローブから入力された電磁気的エネルギーと共振可能な可変周波数共振器と、
該コンピュータに接続された表示部と、
外部交流電源に接続可能で、少なくとも上記コンピュータと上記表示部に直流を給電するバッテリーと、
上記共振器に接続され、建物の部屋の少なくとも床の上面に沿って配設された上記プローブとを備えた電磁気的エネルギー検知送出装置であって、
上記共振器は入力された電磁気的エネルギーに対して共振するアンテナ的機能及び入力された電磁気的エネルギーの電荷を蓄積するコンデンサ的機能を備え、その蓄積された電磁気的エネルギーを所定の周波数で放出する発振器としての機能も備え、
上記操作部で指定入力された生体の組織名に対応して上記コンピュータのメモリから読み出された周波数を上記共振器に設定し、
該床上の生体が発する微弱な電磁気的エネルギーに対応して誘起され上記プローブを流れる電磁気的エネルギーを上記共振器で検知し、その出力を上記コンピュータに入力し、上記設定された周波数の電磁気的エネルギーが検知されたか否かを判定して上記表示部に出力し、
上記操作部から該測定した周波数帯での電磁気的エネルギーのフィードバックが指示された場合、上記コンピュータはその旨の指示を上記共振器に出力し、
上記共振器は当該指示に応答して、蓄積された電磁気的エネルギーを上記周波数で放出して上記プローブに与え、
これにより設定された周波数での電磁気的エネルギーのフィードバックがなされる、電磁気的エネルギー検知送出装置。
（２０）上記コンピュータは、指定周波数で上記共振器で電磁気的エネルギーを検知するモード、指定周波数で上記共振器から電磁気的エネルギーを送出するモード、これらのいずれか又は両方のモードにおいて周波数を順次変化してスイープするスイープモードとを備え、上記コンピュータはこれらのモードを指定するモード選択手段を有する、、（１９）に記載の電磁気的エネルギー検知送出装置。
（２１）マイクロコンピュータと、
該コンピュータに接続された操作部と、
該コンピュータに接続され、周波数可変な電磁気的エネルギーを発振する発振器と、
該コンピュータに接続され、平板状のプローブから入力された電磁気的エネルギーと共振可能な可変周波数共振器と、
該コンピュータに接続された表示部と、
外部交流電源に接続可能で、少なくとも上記コンピュータと上記表示器に直流を給電するバッテリーと、
上記発振器と、上記共振器とに接続され、建物の部屋の少なくとも床の上面に沿って配設された上記プローブとを備えを電磁気的エネルギー検知送出装置であって、
上記操作部で指定入力された周波数を上記共振器に設定し、
該床上の被験者が発する微弱な電磁気的エネルギーに対応して誘起され上記プローブを流れる電磁気的エネルギーを上記共振器で検知し、その出力を上記コンピュータに入力し、上記設定された周波数の電磁気的エネルギーが検知されたか否かを判定して上記表示部に出力し、
上記操作部で指定入力された周波数を上記発振器に設定し、上記発振器から当該周波数の電磁気的エネルギーを上記プローブに出力する、電磁気的エネルギー検知送出装置。
（２２）上記コンピュータは、指定周波数で上記共振器で電磁気的エネルギーを検知するモード、指定周波数で上記発振器から電磁気的エネルギーを送出するモード、これらのいずれか又は両方のモードにおいて周波数を順次変化してスイープするスイープモードとを備え、上記コンピュータはこれらのモードを指定するモード選択手段を有する、（２１）に記載の電磁気的エネルギー検知送出装置。
（２３）上記本体部は、上記プローブを介して検知された電磁気的エネルギーの全ての周波数データを上記コンピュータのメモリにストアし、該ストアされた電磁気的エネルギーの全ての周波数データは上記本体部の外部メモリ接続端子を介して外部メモリにストア可能であり、
上記本体部は、上記電磁気的エネルギー送出のスイープモードが選択されると、当該外部メモリ接続端子を介して該外部メモリから読み出された上記全ての周波数データに従い、当該全ての周波数での電磁気的エネルギーを順次上記発振器からプローブに送出する、（２１）に記載の電磁気的エネルギー検知送出装置。
（２４）上記本体部は、上記プローブを介して被験者から検知された電磁気的エネルギーの全ての周波数データを上記コンピュータのメモリに当該被験者の識別情報と共にストアし、
上記本体部は、当該メモリにストアされた当該被験者の上記全ての周波数データの少なくとも一部を読み出し、それに従い当該少なくとも一部の周波数での電磁気的エネルギーを順次上記発振器からプローブに送出する、（２１）に記載の電磁気的エネルギー検知送出装置。
（２５）生体である被験者の各組織と、それに対応する該被験者の経絡等を流れる微弱な電磁気的エネルギーの周波数との関係をストアしたメモリを有するマイクロコンピュータと、
該コンピュータに接続された操作部と、
該コンピュータに接続され、周波数可変な電磁気的エネルギーを発振する発振器と、
該コンピュータに接続され、平板状のプローブから入力された電磁気的エネルギーと共振可能な可変周波数共振器と、
該コンピュータに接続された表示部と、
外部交流電源に接続可能で、少なくとも上記コンピュータと上記表示部に直流を給電するバッテリーと、
上記発振器と、上記共振器とに接続され、建物の部屋の少なくとも床の上面に沿って配設された上記プローブとを備えた電磁気的エネルギー検知送出装置であって、
上記操作部で指定入力された生体の組織名に対応して上記コンピュータのメモリから読み出された周波数を上記共振器に設定し、
該床上の生体が発する微弱な電磁気的エネルギーに対応して誘起され上記プローブを流れる電磁気的エネルギーを上記共振器で検知し、その出力を上記コンピュータに入力し、上記設定された周波数の電磁気的エネルギーが検知されたか否かを判定して上記表示部に出力し、
上記操作部で指定入力された組織名に対応して上記コンピュータのメモリから読み出された周波数を上記発振器に設定し、上記発振器から当該周波数の電磁気的エネルギーを上記プローブに出力する、電磁気的エネルギー検知送出装置。
（２６）上記コンピュータは、指定周波数で上記共振器で電磁気的エネルギーを検知するモード、指定周波数で上記発振器から電磁気的エネルギーを送出するモード、これらのいずれか又は両方のモードにおいて周波数を順次変化してスイープするスイープモードとを備え、上記コンピュータはこれらのモードを指定するモード選択手段を有する、
（２５）に記載の電磁気的エネルギー検知送出装置。
【符号の説明】
【００５９】
１  本体部
２  マイコン
４  可変周波数共振器
５  操作部
６  表示部
９  バッテリー
１０  プローブ
１２、１３  シールドケーブル
１５  可変周波数共振器
１６  可変周波数発振器
４５  可変周波数共振部
１００  電磁気的エネルギー検知送出装置
【図１】
2018015074.tif 000003
【図２】
2018015074.tif 000004
【図３】
2018015074.tif 000005
【図４】
2018015074.tif 000006
【図５】
2018015074.tif 000007
【図６】
2018015074.tif 000008
【図７】
2018015074.tif 000009
【図８】
2018015074.tif 000010
【図９】
2018015074.tif 000011
【図１０】
2018015074.tif 000012
【図１１】
2018015074.tif 000013